(57)【要約】      （修正有）【課題】金属板を切断して所定形状に形成し、該所定形状に形成された金属板の上面を平坦に加工する金属板の加工方法において、反りを生じさせることなく、平坦化できる金属板の加工方法を提供する。【解決手段】金属板の加工方法であって、金属板を円板状の超鋼カッターで切断して所定形状に形成する切断工程と、所定形状に形成された金属板１２の外周１２１に盛り上がったバリ１２２と共に金属板１２の上面１２ａをバイト７２で切削して上面１２ａを平坦に加工する平坦加工工程と、から少なくとも構成される金属板の加工方法。【選択図】図５
2020093349.tif 000002
【特許請求の範囲】
【請求項１】
金属板の加工方法であって、
金属板を円板状の超鋼カッターで切断して所定形状に形成する切断工程と、
所定形状に形成された金属板の外周に盛り上がったバリと共に金属板の上面をバイトで切削して上面を平坦に加工する平坦加工工程と、
から少なくとも構成される金属板の加工方法。
【請求項２】
該バイトの切り刃は、ダイヤモンドで形成されている請求項１に記載の金属板の加工方法。
【請求項３】
該金属板は、アルミニウム板、銅板のいずれかである請求項１、又は２に記載の金属板の加工方法。
【発明の詳細な説明】
【技術分野】
【０００１】
本発明は、金属板を所定形状に形成し、所定形状に形成された金属板の上面を平坦に加工する金属板の加工方法に関する。
【背景技術】
【０００２】
従来から金属板の上面をフライス盤によって切削加工を施して平坦に加工する金属板の加工方法が実施されている（例えば、特許文献１を参照。）。また、例えば、大判のアルミニウム板等の金属板を所定形状に切断して分割し所定形状としてから上面を平坦に加工する場合には、該大判の金属板を切断する際に、ダイヤモンド砥粒をニッケルメッキで固定した切削ブレードを使用して切断が実施される。
【先行技術文献】
【特許文献】
【０００３】
【特許文献１】特開２００５−００１０７４号公報
【発明の概要】
【発明が解決しようとする課題】
【０００４】
上記した、金属板を所定形状に切断し所望の形状とした金属板の上面を平坦にする加工方法によれば、金属板を所定形状に分割しつつ、上面を平坦に加工することが可能であるものの、該金属板の厚みが薄くなると（例えば、１ｍｍ以下）、フライス盤によって平坦化する際に、該金属板に反りが生じて品質の低下を招くという問題があることが判明した。
【０００５】
本発明は、上記事実に鑑みなされたものであり、その主たる技術課題は、金属板を切断して所定形状に形成し、該所定形状に形成された金属板の上面を平坦に加工する金属板の加工方法において、反りを生じさせることなく、平坦化できる金属板の加工方法を提供することにある。
【課題を解決するための手段】
【０００６】
上記主たる技術課題を解決するため、本発明によれば、金属板の加工方法であって、金属板を円板状の超鋼カッターで切断して所定形状に形成する切断工程と、所定形状に形成された金属板の外周に盛り上がったバリと共に金属板の上面をバイトで切削して上面を平坦に加工する平坦加工工程と、から少なくとも構成される金属板の加工方法が提供される。
【０００７】
該バイトの切り刃は、ダイヤモンドで形成されていることが好ましい。また、該金属板は、アルミニウム板、銅板のいずれかであってよい。
【発明の効果】
【０００８】
本発明の金属板の加工方法は、金属板を円板状の超鋼カッターで切断して所定形状に形成する切断工程と、所定形状に形成された金属板の外周に盛り上がったバリと共に金属板の上面をバイトで切削して上面を平坦に加工する平坦加工工程と、から少なくとも構成されていることから、加工しようとする金属板の厚みが薄い場合であっても、反りを生じさせることを抑制することが可能になった。さらに、金属板を切断して所定形状の金属板に形成する切断工程は、ダイヤモンド砥粒を含まない超鋼カッターによって実施されることから、所定形状に形成された金属板の外周にバリが形成されるにしても、該バリにダイヤモンド砥粒が含まれないことから、金属板の上面をバイトで切削して平坦化する際に、金属板の上面を傷付けることがなく、バイトの切り刃に欠けも生じず、良好な平坦面（鏡面）を形成する平坦加工工程を実施することが可能となる。
【図面の簡単な説明】
【０００９】
【図１】切断工程において切断される金属板、及び保持テーブルの斜視図である。
【図２】切断工程の実施態様を示す斜視図である。
【図３】バイト切削装置の全体斜視図である。
【図４】所定形状に分割された金属板の斜視図である。
【図５】平坦加工工程の実施態様を示す平面図（上段）、及び側面図（下段）である。
【発明を実施するための形態】
【００１０】
以下、本発明に基づいて構成される金属板の加工方法の実施形態について添付図面を参照しながら詳細に説明する。
【００１１】
本実施形態における金属板の加工方法は、切断工程と、平坦化加工工程から少なくとも構成される。まず、平坦化加工工程に先駆けて実施される切断工程について、以下に説明する。
【００１２】
本実施形態を実施するに際し、図１に示すように、後述する切断工程によって所定形状に切断される金属板、例えば、５０ｃｍ×５０ｃｍのアルミニウム板１０を用意する。アルミニウム板１０の厚みは１ｍｍである。このアルミニウム板１０の下面に、同一の形状で形成され表面に糊剤が塗布された保護テープ２０を貼着し、金属板ユニット３０を構成する。保護テープ２０は、例えば、ＰＥＴ（ポリエチレンテレフタレート）からなる。
【００１３】
上記した金属板ユニット３０を用意したならば、切削装置４０（一部のみ示している。）に配設された保持テーブル４２の吸着チャック４４上に、保護テープ２０側を下方に向けて載置する。吸着チャック４４は、通気性を有する材質で形成され、図示しない吸引手段に接続されており、該吸引手段を作動させることにより金属板ユニット３０を吸引保持する。
【００１４】
図２に示すように、切削装置４０は、保持テーブル４２上に保持された被加工物を切断する切削手段４５を備えている。切削手段４５は、回転スピンドル４５１と、回転スピンドル４５１の先端に固定される円板状の超鋼カッター４５２と、回転スピンドル４５１を回転自在に保持するスピンドルハウジング４５３とを備える。回転スピンドル４５１は、スピンドルハウジング４５３の後端側（図示は省略する。）に配設されるスピンドルモータによって回転駆動される。また、切削手段４５は、図示しない移動手段により、Ｘ軸方向と直交しＸ軸方向とで水平面を構成する矢印Ｙで示す割り出し送り方向、及び矢印Ｚで示す切り出し送り方向に移動可能に構成されている。超鋼カッター４５２は、ダイヤモンド砥粒を含まない超鋼合金等の金属により構成され、直径が６０ｍｍ、厚みは０．２ｍｍである。なお、保持テーブル４２は、矢印Ｘで示す方向に図示しない移動手段により進退可能に構成されている。
【００１５】
本実施形態において切断工程を実施するに際し、上記した保持テーブル４２に金属板ユニット３０を吸引保持し、切削手段４５を用意したならば、切削装置４０に配設される撮像手段（図示は省略する。）を用いて、金属板ユニット３０のアルミニウム板１０と、超鋼カッター４５２との位置合わせ（アライメント）を実施する。該アライメントを実施したならば、超鋼カッター４５２を矢印Ｒ１で示す方向に回転させ、所定の加工開始位置に位置付けて切り込み送りすると共に、保持テーブル４２を矢印Ｘ１で示す方向に加工送りし、アルミニウム板１０に切削溝１００を形成する。この切削溝１００は、アルミニウム板１０を完全に切断するが、保護テープ２０は完全に切断しない程度の深さで形成され、切削溝１００が形成された後も金属板ユニット３０は一体化された状態で維持される。このようにしてＸ軸方向に沿って切削溝１００を形成したならば、切削手段４５（超鋼カッター４５２）をＹ軸方向に１０ｃｍ割り出し送りして、先に形成した切削溝１００と平行に切削溝１００を形成する。このようにして、１０ｃｍ間隔でアルミニウム板１０を切削して分割したならば、保持テーブル４２を９０度回転して、先に形成した切削溝１００と直交する方向を図中のＸ軸方向に沿うように位置付ける。このように保持テーブル４２を９０度回転させたならば、上記した切削溝１００を形成した切削加工と同様の加工を実施して、先に形成した切削溝１００と直交する切削溝１００を形成する（図２の下段を参照。）。以上により、金属板ユニット３０のアルミニウム板１０が、所定形状である１０ｃｍ×１０ｃｍの寸法に切断された金属板、すなわち、四角形状のアルミニウム片１２に分割され、切断工程が完了する。なお、本実施形態では、一辺が５０ｃｍのアルミニウム板１０を切断して、一辺が１０ｃｍのアルミニウム片１２に分割したが、アルミニウム片１２の一辺を精密に１０ｃｍとする場合は、超鋼カッター４５２による切断によって減少する幅を考慮して、アルミニウム板１０の一辺を設定し（５０ｃｍ＋１ｍｍ程度）、切削溝１００の間隔を調整することが好ましい。
【００１６】
図３を参照しながら、上記した切断工程によって所定形状（四角形状）に形成されたアルミニウム片１２の上面１２ａを平坦化する平坦加工工程に好適なバイト切削装置５０について説明する。
【００１７】
本実施形態に係るバイト切削装置５０は、図３に示すように、装置基台５１と、装置基台５１上に配設されるバイト切削手段６０と、チャックテーブル８０とを備える。バイト切削装置５０は、更に、チャックテーブル８０をＸ軸方向に移動させるチャックテーブル移動手段（図示は省略する。）と、バイト切削手段６０をＺ軸方向で進退させるバイト切削手段移動手段９０とを備える。バイト切削装置５０は、バイト切削手段６０とアルミニウム片１２を保持したチャックテーブル８０とを相対移動させることで、アルミニウム片１２の上面１２ａを切削して平坦化する。
【００１８】
チャックテーブル８０は、チャックテーブル８０の保持面を形成し通気性を有する円形の保持部材８４と、該保持部材８４を囲繞して保持部材８４を支持する枠部８２とを備える。チャックテーブル８０には、図示しない吸引手段が接続され、チャックテーブル８０上に負圧を作用させる。
【００１９】
チャックテーブル８０は、加工動作の開始指示があった場合、図３においてチャックテーブル８０が位置付けられている加工待機領域から、矢印Ｘ２で示すようにバイト切削手段６０の下方の加工領域に進入させられる。そして、加工動作の終了指示があった場合、チャックテーブル８０を、バイト切削手段６０の下方の加工領域から該加工待機領域に退避させられる。
【００２０】
装置基台５１は、図３に示すように、本体部５２と、壁部５３とを備える。本体部５２は、直方体形状に形成され、壁部５３は、本体部５２の後端部から、上方側に立設されている。壁部５３の前面側には、Ｚ軸方向に沿って一対のガイドレール５６が配置されている。ガイドレール５６は、バイト切削手段６０のＺ軸方向への移動をガイドする。
【００２１】
バイト切削手段６０は、スピンドル６１と、バイトホイール６２と、スピンドルハウジング６３と、バイト駆動部６６と、を備える。スピンドル６１は、スピンドルハウジング６３に回転可能に支持されている。スピンドルハウジング６３は、バイト切削手段６０の移動基台６７に形成された支持部６４に支持されている。スピンドル６１は、バイト駆動部６６の出力軸と連結され、チャックテーブル８０の保持部材８４の保持面と直交する方向に位置付けられ回転駆動される。バイトホイール６２は、スピンドル６１の先端に装着され、被加工物を切削するバイト７２を保持する。バイト７２の先端を構成する切り刃は、ダイヤモンドにより形成されている。バイトホイール６２から下方側へのバイト７２の切り刃の飛び出し量は、バイト７２を固定開放するねじ７４によって調整される。
【００２２】
バイト切削手段移動手段９０は、パルスモータ９２と、雄ねじロッド９４とを備え、移動基台６７を移動させる。雄ねじロッド９４は、壁部５３の前面に配置され、その上端部及び下端部が壁部５３に取り付けられた軸受部材９６、９７によって回転自在に支持され、Ｚ軸方向に延在する。雄ねじロッド９４は、パルスモータ９２の出力軸と伝動連結され、回転駆動される。移動基台６７には、一対のガイドレール５６と摺動可能に係合する被案内溝と、裏面側に形成された係合部材（図示は省略する。）と、が形成され、該係合部材が雄ねじロッド９４と係合することで、一対のガイドレール５６に沿ってＺ軸方向に移動させられる。このような構成に基づき、バイト切削手段移動手段９０は、バイト切削手段６０を一対のガイドレール５６に沿ってＺ軸方向に移動させる。
【００２３】
バイト切削装置５０は、図示しない制御手段を備えている。該制御手段は、バイト切削装置５０を構成する上述した各構成要素をそれぞれ制御し、アルミニウム片１２に対する切削動作をバイト切削装置５０に行わせる。なお、制御手段は、図示しないコンピュータにより構成されている。該制御手段は、オペレータが加工内容情報などを登録する際に用いる本体部５２の前面に配設された入力手段Ｐと、各種の情報を表示する表示手段（図示は省略する。）と、に接続される。
【００２４】
本実施形態のバイト切削装置５０は、概ね上記したとおりの構成を備え、所定形状に形成されたアルミニウム片１２の上面１２ａをバイト７２で切削して上面１２ａを平坦に加工する平坦加工工程を実施する。図３乃至図５を参照しながら、以下に、より具体的に説明する。なお、図５の上段に、バイト切削装置５０による平坦化加工の実施態様を示す平面図を示し、下段には、側面図を示す。
【００２５】
上記した切断工程によって所定形状に分割されたアルミニウム片１２を得たならば、図４に示すように、表面に粘着力が付与された円形状の保護テープ２２を用意し、保護テープ２２の中央にアルミニウム片１２の上面１２ａを上方に向けて貼着する。ここで、図４の左下方に、アルミニウム片１２の外周１２１の一部を拡大して示すように、上記した切断工程を回転する円板状の超鋼カッター４５２で切断すると、超鋼カッター４５２で切削された外周１２１の上部に盛り上がったバリ１２２が形成される。アルミニウム片１２の上面１２ａを平坦化するには、このバリ１２２を除去すると共に、アルミニウム片１２の上面１２ａを切削して平坦に加工する。
【００２６】
上記した切断工程により所定形状とされたアルミニウム片１２を保護テープ２２と一体化したならば、図３に示すように、バイト切削装置５０のチャックテーブル８０に載置して、吸引保持する。なお、この際チャックテーブル８０は、加工待機領域に位置付けられている（図５の左方側）。
【００２７】
チャックテーブル８０にアルミニウム片１２を吸引保持したならば、バイト切削手段６０を作動して、図中Ｒ２で示す方向に、バイトホイール６２を、所定の速度、例えば６０００ｒｐｍで回転させる。バイトホイール６２と共にバイト７２を回転させたならば、バイト切削手段移動手段９０を作動して、バイト切削手段６０を下降させ、バイト７２をアルミニウム片１２の上面１２ａを切削して平坦化する高さ位置まで下降させる。より具体的には、本実施形態では、アルミニウム片１２を、０．８ｍｍの厚さになるように平坦化するものであることから、バイト７２の先端の切り刃の位置を上面１２ａに対して０．２ｍｍ低い位置に位置付ける。
【００２８】
上記したように、バイト７２を回転させて所定の高さ位置に下降させたならば、図５に示すように、チャックテーブル８０を、左方側の加工待機領域から、矢印で示す方向（図３中のＸ２で示す方向）に移動して、バイトホイール６２の下方の加工領域に向けて移動させる。チャックテーブル８０を加工領域に移動させることで、バイト７２の切り刃がアルミニウム片１２の外周１２１に形成されたバリ１２２を切削して除去し、さらに、アルミニウム片１２の上面１２ａを切削する（図５の中央を参照。）。さらにチャックテーブル８０を図５中の右方側に移動させることにより、アルミニウム片１２の上面１２ａ、及び外周１２１に形成されたバリ１２２の全てが除去され、平坦面１２ｂが形成されたアルミニウム片１２’が形成される（図５の右方を参照。）。なお、図５は、説明の都合上、バリ１２２の形状、及び平坦面１２ｂに形成される切削痕を実際よりも誇張して示しており、実際のバリ１２２の寸法、及び切削痕の視認状態に沿ったものではない。特に、平坦面１２ｂに形成される切削痕は、実際には、微かに視認できる程度であり。平坦面１２ｂは、略鏡面に加工される。以上により、本実施形態の平坦加工工程が完了する。
【００２９】
本実施形態は、上記した切断工程、及び平坦加工工程を実施することにより、以下のような作用効果を奏する。従来、所定形状とされた金属板を平坦化する際には、フライス盤を用いて平坦化されていた。しかし、フライス盤を用いて平坦加工工程を実施する場合、金属板の厚みが、例えば１ｍｍ以下と薄くなった場合に、金属板の上面に歪が生じて反りを発生させ、金属板として品質の低下を招いていた。しかし、本実施形態のように、金属板の上面をバイトで切削して平坦化するようにしたことで、加工しようとする金属板の厚みが薄い場合であっても、反りを生じさせることを抑制することが可能になった。
【００３０】
さらに、金属板の上面をバイトで切削する場合、所定形状の金属板が、大判の金属板からダイヤモンド砥粒を含む切削ブレードによって切断されていると、外周に形成されるバリに、切削ブレードから離脱したダイヤモンド砥粒が取り込まれて混入した状態となる。この金属板の上面を、先端にダイヤモンドを備えたバイトで切削して平坦化しようとすると、バリに含まれるダイヤモンド砥粒によって金属板の上面が傷つけられて、品質の低下を招き、さらに、バリからこぼれたダイヤモンド砥粒によってバイトの切り刃を構成するダイヤモンドが欠けて損傷し、平坦化が良好になされないという問題が生じる。これに対し、本実施形態によれば、大判の金属板を切断して所定形状の金属板に形成する切断工程は、ダイヤモンド砥粒を含まない超鋼カッターによって実施される。これにより、所定形状に形成された金属板の外周にバリが形成されるにしても、該バリにダイヤモンド砥粒が含まれないことから、金属板の上面をバイトで切削して平坦化する際にも、上面を傷付けることがなく、バイトの切り刃に欠けも生じず、良好な平坦面（鏡面）となる平坦加工工程を実施することが可能である。
【００３１】
本発明によれば、上記した実施形態に限定されず、種々の変形例が提供される。例えば、上記した実施形態では、被加工物となる金属板を、アルミニウム板１０で構成したが、本発明はこれに限定されず、銅板を加工する際にも同様の作用効果を奏することができる。また、上記した実施形態では、バイトを使用して平坦化した結果、アルミニウム片１２の上面を鏡面とするように加工を実施したが、必ずしもバイト加工によってのみ鏡面とすることに限定されず、上面をバイトで切削して平坦化した後、研磨工程等を実施して鏡面化する工程を追加することを除外しない。
【符号の説明】
【００３２】
１０：アルミニウム板
１２：アルミニウム片
１２ａ：上面
１２１：外周
１２２：バリ
２０、２２：保護テープ
３０：金属板ユニット
４０：切削装置
４２：保持テーブル
４４：吸着チャック
４５：切削手段
４５２：超鋼カッター
５０：バイト切削装置
６０：バイト切削手段
６２：バイトホイール
７２：バイト
８０：チャックテーブル
９０：バイト切削手段移動手段
１００：切削溝
【図１】
2020093349.tif 000003
【図２】
2020093349.tif 000004
【図３】
2020093349.tif 000005
【図４】
2020093349.tif 000006
【図５】
2020093349.tif 000007